【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
モバイルデバイスの動作の方法であって、前記方法は、
近隣エリアネットワーク（ＮＡＮ）を使用して通信するために、前記モバイルデバイスのトランシーバをチューニングすることと、ここで、前記ＮＡＮは、定期的な発見ウィンドウに関連付けられる、
前記ＮＡＮを介して前記モバイルデバイスにおいて発見メッセージを受信することと、ここで、前記発見メッセージは、アクセスポイントに関連付けられているワイヤレスローカルエリアネットワーク（ＷＬＡＮ）に関連付けられたネットワークパラメータを示し、ここにおいて、前記ネットワークパラメータは、前記ＷＬＡＮに関連付けられたネットワークチャネルを含み、前記ネットワークパラメータは、前記ＷＬＡＮに関連付けられたターゲットビーコン送信時間（ＴＢＴＴ）をさらに示す、
前記ネットワークパラメータに基づいて、前記ＷＬＡＮを使用して前記アクセスポイントと通信することと
を備える、方法。
【請求項２】
前記ＮＡＮを介して前記アクセスポイントにクエリを送ることと、
前記アクセスポイントから前記クエリへの応答を受信することと、ここで、前記応答は、前記ＷＬＡＮに関連付けられた１つまたは複数の追加のネットワークパラメータを示す、
をさらに備える、請求項１に記載の方法。
【請求項３】
前記発見メッセージは、前記アクセスポイントのセキュリティドメインまたは前記アクセスポイントのインターネットプロトコル（ＩＰ）サブネットを示す、請求項１に記載の方法。
【請求項４】
前記発見メッセージは、前記セキュリティドメインまたは前記ＩＰサブネットを示す、米国電気電子学会（ＩＥＥＥ）８０２．１１ａｉ高速初期リンクセットアップ（ＦＩＬＳ）インジケーション要素を含む、請求項３に記載の方法。
【請求項５】
複数のアクセスネットワーククエリプロトコル（ＡＮＱＰ）メッセージを前記アクセスポイントに送ることをさらに備え、前記ＡＮＱＰメッセージは、前記アクセスポイントへのシングルメッセージ内でグループ化される、請求項１に記載の方法。
【請求項６】
前記ＡＮＱＰメッセージは、米国電気電子学会（ＩＥＥＥ）８０２．１１−２０１２通信仕様に準拠する、請求項５に記載の方法。
【請求項７】
前記ＡＮＱＰメッセージを送ることは、米国電気電子学会（ＩＥＥＥ）８０２．１１ａｉ ＦＩＬＳ アクセスネットワーククエリプロトコル（ＡＮＱＰ）メッセージを前記アクセスポイントに送ることを含み、前記方法は、前記ＷＬＡＮに関連する追加の情報を示す前記ＩＥＥＥ  ８０２．１１  ＦＩＬＳ  ＡＮＱＰメッセージへの応答を受信することをさらに備える、請求項５に記載の方法。
【請求項８】
前記アクセスポイントは、サービスのアドバタイザである、請求項１に記載の方法。
【請求項９】
前記モバイルデバイスは、前記サービスのサブスクライバである、請求項８に記載の方法。
【請求項１０】
装置であって、
命令を記憶するメモリと、
前記メモリに結合されたプロセッサとを備え、前記プロセッサは、動作を実行するために前記命令を実行するように構成され、前記動作は、
近隣エリアネットワーク（ＮＡＮ）を使用して通信するために、トランシーバをチューニングすることと、ここで、前記ＮＡＮは、定期的な発見ウィンドウに関連付けられる、
前記ＮＡＮを介して発見メッセージを受信することと、ここで、前記発見メッセージは、アクセスポイントに関連付けられているワイヤレスローカルエリアネットワーク（ＷＬＡＮ）に関連付けられたネットワークパラメータを示し、ここにおいて、前記ネットワークパラメータは、前記ＷＬＡＮに関連付けられたネットワークチャネルを示し、前記ネットワークパラメータは、前記ＷＬＡＮに関連付けられたターゲットビーコン送信時間（ＴＢＴＴ）をさらに示す、
前記ネットワークパラメータに基づいて、前記ＷＬＡＮを使用して前記アクセスポイントと通信することと
を含む、
装置。
【請求項１１】
前記発見メッセージは、前記ＷＬＡＮを識別するサービス識別情報（ＩＤ）を含む、請求項１０に記載の装置。
【請求項１２】
前記ＷＬＡＮは通信プロトコルに準拠し、前記サービスＩＤは、前記通信プロトコルによって指定される特定のサービスＩＤにマッチする、請求項１１に記載の装置。
【請求項１３】
前記通信プロトコルは、Ｗｉ−Ｆｉ  Ａｌｌｉａｎｃｅ通信プロトコルまたは米国電気電子学会（ＩＥＥＥ）８０２．１１通信プロトコルである、請求項１２に記載の装置。
【請求項１４】
前記サービスＩＤは、モバイルデバイスの製造業者によって、または前記モバイルデバイスに関連付けられたネットワークのサービスプロバイダによって指定される特定のサービスＩＤにマッチする、請求項１１に記載の装置。
【請求項１５】
スイッチに関連付けられた選択可能なオプションを表示するように構成されたユーザインターフェースをさらに備える、請求項１０に記載の装置。
【請求項１６】
前記トランシーバをさらに備え、前記プロセッサは、前記トランシーバに、前記スイッチのアクティブ化に応答して前記発見メッセージを検出するために前記ＮＡＮに関連付けられた特定のチャネルにチューニングさせるようにさらに構成される、請求項１５に記載の装置。
【請求項１７】
装置であって、
近隣エリアネットワーク（ＮＡＮ）を介して発見メッセージを受信するための手段と、ここで、前記発見メッセージは、アクセスポイントに関連付けられているワイヤレスローカルエリアネットワーク（ＷＬＡＮ）に関連付けられたネットワークパラメータを示し、前記ＮＡＮは、定期的な発見ウィンドウに関連付けられ、ここにおいて、前記ネットワークパラメータは、前記ＷＬＡＮに関連付けられたネットワークチャネルを示し、前記ネットワークパラメータは、前記ＷＬＡＮに関連付けられたターゲットビーコン送信時間（ＴＢＴＴ）をさらに示す、
前記ネットワークパラメータに基づいて、前記ＷＬＡＮを介した前記アクセスポイントとの通信を開始するための手段と
を備える、装置。
【請求項１８】
前記ＮＡＮに関連付けられた選択可能なインジケータを表示するための手段をさらに備える、請求項１７に記載の装置。
【請求項１９】
通信のための命令を記憶する非一時的なコンピュータ可読媒体であって、前記命令は、プロセッサによって実行されると、前記プロセッサに、
近隣エリアネットワーク（ＮＡＮ）を使用して通信するために、モバイルデバイスのトランシーバをチューニングすることと、ここで、前記ＮＡＮは、定期的な発見ウィンドウに関連付けられる、
前記ＮＡＮを介して前記モバイルデバイスにおいて発見メッセージを受信することと、ここで、前記発見メッセージは、アクセスポイントに関連付けられているワイヤレスローカルエリアネットワーク（ＷＬＡＮ）に関連付けられたネットワークパラメータを示し、ここにおいて、前記ネットワークパラメータは、前記ＷＬＡＮに関連付けられたネットワークチャネルを示し、前記ネットワークパラメータは、前記ＷＬＡＮに関連付けられたターゲットビーコン送信時間（ＴＢＴＴ）をさらに示す、
前記ネットワークパラメータに基づいて、前記ＷＬＡＮを使用した前記アクセスポイントとの通信を開始することと
を含む動作を実行させる、非一時的なコンピュータ可読媒体。
【請求項２０】
前記動作は、前記アクセスポイントとの前記通信を開始することに先立って前記アクセスポイントとセットアッププロシージャを開始することをさらに含み、前記セットアッププロシージャは、認証動作、アソシエーション動作、または両方を含む、請求項１９に記載の非一時的なコンピュータ可読媒体。
【請求項２１】
前記動作は、アクセスネットワーククエリプロトコル（ＡＮＱＰ）メッセージを前記アクセスポイントに送ることをさらに含む、請求項１９に記載の非一時的なコンピュータ可読媒体。
【請求項２２】
前記トランシーバは、前記定期的な発見ウィンドウの発見ウィンドウの間、前記ＮＡＮにチューニングされ、前記発見メッセージは、前記発見ウィンドウの間、受信される、請求項１に記載の方法。
【請求項２３】
前記発見メッセージは、ＮＡＮ  ＷＬＡＮ接続属性を含むＮＡＮフレームを備える、請求項１に記載の方法。
【請求項２４】
前記ＮＡＮフレームは、前記アクセスポイントのセキュリティドメインまたは前記アクセスポイントのインターネットプロトコル（ＩＰ）サブネットのうちの少なくとも１つを示す米国電気電子学会（ＩＥＥＥ）８０２．１１ａｉ高速初期リンクセットアップ（ＦＩＬＳ）インジケーション要素をさらに含む、請求項２３に記載の方法。
【請求項２５】
前記発見メッセージは、前記アクセスポイントのためのプロキシとして動作する第２のアクセスポイントから受信される、請求項１に記載の方法。
【請求項２６】
前記トランシーバは、前記モバイルデバイスの電力レベルが閾値よりも少ないことに応答して、前記ＮＡＮにチューニングされる、請求項１に記載の方法。
【請求項２７】
前記ＮＡＮを介して第２の発見メッセージを受信することと、ここで、前記第２の発見メッセージは、第２のアクセスポイントに関連付けられた第２のＷＬＡＮに関連付けられた１つまたは複数のネットワークパラメータを示す、
前記アクセスポイントに関連付けられた第１のセキュリティドメインと、前記第２のアクセスポイントに関連付けられた第２のセキュリティドメインとに基づいて、前記アクセスポイントと通信するかどうかを決定することと
をさらに備える、請求項１に記載の方法。
【請求項２８】
前記発見メッセージは、前記アクセスポイントのセキュリティドメインまたは前記アクセスポイントのインターネットプロトコル（ＩＰ）サブネットのうちの少なくとも１つを示す米国電気電子学会（ＩＥＥＥ）８０２．１１ａｉ高速初期リンクセットアップ（ＦＩＬＳ）インジケーション要素を含むＮＡＮフレームを備える、請求項１に記載の方法。
【手続補正２】
【補正対象書類名】明細書
【補正対象項目名】０１０１
【補正方法】変更
【補正の内容】
【０１０１】
[00104]開示された実施形態の上記説明は、当業者が開示された実施形態を作成または使用できるようにするために提供される。これらの実施形態への様々な修正は、当業者には容易に明らかとなり、本明細書で定義された原理は、本開示の範囲から逸脱することなしに他の実施形態に適用されうる。したがって、本開示は、ここに開示された実施形態に限定されるようには意図されず、下記の特許請求の範囲によって定義されるような原理および新規な特徴と一致する最も広い範囲を与えられることとなる。
以下に本願発明の当初の特許請求の範囲に記載された発明を付記する。
［Ｃ１］
モバイルデバイスの動作の方法であって、前記方法は、
低電力ネットワークを使用して通信するために、前記モバイルデバイスのトランシーバをチューニングすることと、
前記低電力ネットワークを介して発見メッセージを受信することと、ここで、前記発見メッセージは、アクセスポイントに関連付けられているワイヤレスローカルエリアネットワーク（ＷＬＡＮ）に関連付けられた１つまたは複数のネットワークパラメータを示す、
前記１つまたは複数のネットワークパラメータに基づいて、前記ＷＬＡＮを使用して前記アクセスポイントと通信することと
を備える、方法。
［Ｃ２］
前記低電力ネットワークは、近隣エリアネットワーク（ＮＡＮ）である、Ｃ１に記載の方法。
［Ｃ３］
前記ＮＡＮを介して前記アクセスポイントにクエリを送ることと、
前記アクセスポイントから前記クエリへの応答を受信することと、前記応答は、前記ＷＬＡＮに関連付けられた１つまたは複数の追加のネットワークパラメータを示す、
をさらに備える、Ｃ２に記載の方法。
［Ｃ４］
前記低電力ネットワークは、ＢｌｕｅｔｏｏｔｈネットワークまたはＢｌｕｅｔｏｏｔｈ ｌｏｗ−ｅｎｅｒｇｙ（ＢＬＥ）ネットワークである、Ｃ１に記載の方法。
［Ｃ５］
前記１つまたは複数のネットワークパラメータは、前記ＷＬＡＮに関連付けられたネットワークチャネル、前記ＷＬＡＮに関連付けられたターゲットビーコン送信時間（ＴＢＴＴ）、および前記ＷＬＡＮに関連付けられたサービスセット識別情報（ＳＳＩＤ）のうちの少なくとも１つを示す、Ｃ１に記載の方法。
［Ｃ６］
前記発見メッセージは、前記アクセスポイントのセキュリティドメイン、前記アクセスポイントに関連付けられたインターネットプロトコル（ＩＰ）アドレスタイプ、および前記アクセスポイントのインターネットプロトコル（ＩＰ）サブネットのうちの少なくとも１つを示す、Ｃ１に記載の方法。
［Ｃ７］
前記発見メッセージは、前記セキュリティドメイン、前記ＩＰアドレスタイプ、および前記ＩＰサブネットのうちの少なくとも１つを示す、米国電気電子学会（ＩＥＥＥ）８０２．１１ａｉ高速初期リンクセットアップ（ＦＩＬＳ）インジケーション要素を含む、Ｃ６に記載の方法。
［Ｃ８］
前記アクセスポイントと、アクセスネットワーククエリプロトコル（ＡＮＱＰ）メッセージを送信することおよび受信することをさらに備える、Ｃ１に記載の方法。
［Ｃ９］
前記ＡＮＱＰメッセージは、米国電気電子学会（ＩＥＥＥ）８０２．１１−２０１２通信仕様に準拠する、Ｃ８に記載の方法。
［Ｃ１０］
前記ＡＮＱＰメッセージは、単一のメッセージ内にグループ化される、Ｃ８に記載の方法。
［Ｃ１１］
前記ＡＮＱＰメッセージを送信することおよび受信することは、
米国電気電子学会（ＩＥＥＥ）８０２．１１ａｉ高速初期リンクセットアップ（ＦＩＬＳ）アクセスネットワーククエリプロトコル（ＡＮＱＰ）メッセージを前記アクセスポイントに送ることと、
前記ＷＬＡＮに関連する追加の情報を示す前記ＩＥＥＥ ８０２．１１ ＦＩＬＳ ＡＮＱＰメッセージへの応答を受信することと
を含む、Ｃ８に記載の方法。
［Ｃ１２］
前記アクセスポイントは、サービスのアドバタイザである、Ｃ１に記載の方法。
［Ｃ１３］
前記モバイルデバイスは、前記サービスのサブスクライバである、Ｃ１２に記載の方法。
［Ｃ１４］
前記アクセスポイントは、別のアクセスポイントのためのプロキシとして動作する、Ｃ１に記載の方法。
［Ｃ１５］
装置であって、
命令を記憶するメモリと、
前記メモリに結合されたプロセッサとを備え、前記プロセッサは、動作を開始または制御するために前記命令を実行するように構成され、前記動作は、低電力ネットワークを使用して通信するためにトランシーバをチューニングすることと、前記低電力ネットワークを介して発見メッセージを受信することであって、前記発見メッセージがアクセスポイントに関連付けられているワイヤレスローカルエリアネットワーク（ＷＬＡＮ）に関連付けられた１つまたは複数のネットワークパラメータを示す、受信することと、前記１つまたは複数のネットワークパラメータに基づいて前記ＷＬＡＮを使用して前記アクセスポイントと通信することとを含む、
装置。
［Ｃ１６］
前記メッセージは、前記ＷＬＡＮを識別するサービス識別情報（ＩＤ）を含む、Ｃ１５に記載の装置。
［Ｃ１７］
前記ＷＬＡＮは通信プロトコルに準拠し、前記通信プロトコルは、前記サービスＩＤを指定する、Ｃ１６に記載の装置。
［Ｃ１８］
前記通信プロトコルは、Ｗｉ−Ｆｉ ＡｌｌｉａｎＣｅ通信プロトコルまたはＩＥＥＥ
８０２．１１通信プロトコルである、Ｃ１７に記載の装置。
［Ｃ１９］
前記サービスＩＤは、モバイルデバイスの製造業者によって、または前記モバイルデバイスに関連付けられたネットワークのサービスプロバイダによって示される、Ｃ１６に記載の装置。
［Ｃ２０］
スイッチに関連付けられた選択可能なオプションを表示するように構成されたユーザインターフェースをさらに備える、Ｃ１６に記載の装置。
［Ｃ２１］
トランシーバをさらに備え、
前記プロセッサは、前記トランシーバに、前記スイッチのアクティブ化に応答して前記サービスＩＤを検出するために特定のチャネルにチューニングさせるようにさらに構成される、Ｃ２０に記載の装置。
［Ｃ２２］
前記低電力ネットワークは、近隣エリアネットワーク（ＮＡＮ）、Ｂｌｕｅｔｏｏｔｈネットワーク、またはＢｌｕｅｔｏｏｔｈ ｌｏｗ−ｅｎｅｒｇｙ（ＢＬＥ）ネットワークである、
Ｃ１５に記載の装置。
［Ｃ２３］
前記１つまたは複数のネットワークパラメータは、前記ＷＬＡＮに関連付けられているネットワークチャネル、前記ＷＬＡＮに関連付けられているターゲットビーコン送信時間（ＴＢＴＴ）、および前記ＷＬＡＮに関連付けられているサービスセット識別情報（ＳＳＩＤ）のうちの少なくとも１つを示す、
Ｃ１５に記載の装置。
［Ｃ２４］
アクセスポイントの動作の方法であって、前記方法は、
低電力ネットワークを介してメッセージを送信することと、ここで、前記メッセージは、前記アクセスポイントに関連付けられているワイヤレスローカルエリアネットワーク（ＷＬＡＮ）に関連付けられた１つまたは複数のネットワークパラメータを示す、
前記１つまたは複数のネットワークパラメータに基づいて、モバイルデバイスとのセットアッププロシージャを行うことと、
前記モバイルデバイスとの前記セットアッププロシージャを行った後で、前記ＷＬＡＮを使用して前記モバイルデバイスとの１または複数のデータ通信を行うことと
を備える、方法。
［Ｃ２５］
前記低電力ネットワークは、近隣エリアネットワーク（ＮＡＮ）、Ｂｌｕｅｔｏｏｔｈネットワーク、またはＢｌｕｅｔｏｏｔｈ ｌｏｗ−ｅｎｅｒｇｙ（ＢＬＥ）ネットワークである、
Ｃ２４に記載の方法。
［Ｃ２６］
前記１つまたは複数のネットワークパラメータは、前記ＷＬＡＮに関連付けられているネットワークチャネル、前記ＷＬＡＮに関連付けられているターゲットビーコン送信時間（ＴＢＴＴ）、および前記ＷＬＡＮに関連付けられているサービスセット識別情報（ＳＳＩＤ）のうちの少なくとも１つを示す、
Ｃ２４に記載の方法。
［Ｃ２７］
装置であって、
命令を記憶するメモリと、
前記メモリに結合されたプロセッサとを備え、前記プロセッサは、動作を開始または制御するために前記命令を実行するように構成され、前記動作は、低電力ネットワークを介してメッセージを送信することであって、前記メッセージはワイヤレスローカルエリアネットワーク（ＷＬＡＮ）に関連付けられた１つまたは複数のネットワークパラメータを示す、送信することと、前記１つまたは複数のネットワークパラメータに基づいてモバイルデバイスとのセットアッププロシージャを行うことと、前記モバイルデバイスとの前記セットアッププロシージャを行った後で、前記ＷＬＡＮを使用して前記モバイルデバイスとの１または複数のデータ通信を行うこととを含む、
装置。
［Ｃ２８］
前記低電力ネットワークは、近隣エリアネットワーク（ＮＡＮ）、Ｂｌｕｅｔｏｏｔｈネットワーク、またはＢｌｕｅｔｏｏｔｈ ｌｏｗ−ｅｎｅｒｇｙ（ＢＬＥ）ネットワークである、
Ｃ２７に記載の装置。
［Ｃ２９］
前記１つまたは複数のネットワークパラメータは、前記ＷＬＡＮに関連付けられているネットワークチャネル、前記ＷＬＡＮに関連付けられているターゲットビーコン送信時間（ＴＢＴＴ）、および前記ＷＬＡＮに関連付けられているサービスセット識別情報（ＳＳＩＤ）のうちの少なくとも１つを示す、
Ｃ２７に記載の装置。
［Ｃ３０］
前記１または複数のデータ通信は、データダウンロード動作およびデータアップロード動作のうちの少なくとも１つを含む、
Ｃ２７に記載の装置。